【手続補正書】
【提出日】令和3年7月14日(2021.7.14)
【手続補正１】
【補正対象書類名】特許請求の範囲
【補正対象項目名】全文
【補正方法】変更
【補正の内容】
【特許請求の範囲】
【請求項１】
記録材上に画像を形成する画像形成部と、
前記画像形成部で記録材に形成された画像を加熱する画像加熱部と、
前記画像形成部に搬送する記録材を載置する載置部と、
前記載置部に載置された封筒を前記画像形成部に搬送して形成された１面目の画像が加熱された後に、前記封筒を再び前記画像形成部へ搬送して形成された２面目の画像を加熱して封筒の両面に自動で画像を形成するモードを実行する制御部と、を有する画像形成装置において、
前記制御部は、封筒のフラップが記録材の搬送方向と直行する方向にある第一状態で封筒が前記載置部に載置されている場合、前記モードで前記封筒に両面印刷を実行することを許容し、封筒のフラップが記録材の搬送方向にある第二の状態で封筒が前記載置部に載置されている場合、前記モードで前記封筒に両面印刷を実行することを禁止することを特徴とする画像形成装置。
【請求項２】
前記モードの実行を入力する操作部を有し、封筒が積載部に第二の状態で載置されている場合には、前記制御部は前記操作部から前記モードの実行の選択を行えないようにすることを特徴とする請求項１記載の画像形成装置。
【請求項３】
前記載置部に載置されている封筒の状態が入力される入力部を有することを特徴とする請求項１または２に記載の画像形成装置。
【請求項４】
前記載置部を第１の載置部とするとき、前記画像形成装置は、
記録材を載置可能な第２の載置部と、
前記第１の載置部と前記第２の載置部とを含む複数の載置部の中から印刷に使用する載置部の指示と、前記モードの実行指示と、を操作者が操作する操作部と、
を有し、
封筒が前記第二の状態で前記第１の載置部に載置されている場合において、前記操作部にて前記第１の載置部を使用する指示が入力された場合、前記制御部は、前記操作部にて前記モードの実行の入力を禁止することを特徴とする請求項１乃至３いずれか１項に記載の画像形成装置。
【請求項５】
前記載置部を第１の載置部とするとき、前記画像形成装置は、
記録材を載置可能な第２の載置部と、
情報を表示する表示部と、
前記第１の載置部と前記第２の載置部とを含む複数の載置部の中から印刷に使用する載置部の指示を操作者が操作する操作部と、
を有し、
封筒が前記第２の状態で前記第１の載置部に載置されている場合において、前記操作部にて前記第１の載置部が選択された場合、前記制御部は、前記モードが実行できないことを表示部に表示することを特徴とする請求項１乃至４いずれか１項に記載の画像形成装置。
【請求項６】
前記載置部を第１の載置部とするとき、前記画像形成装置は、
記録材を載置可能な第２の載置部と、
前記第１の載置部と前記第２の載置部とを含む複数の載置部の中から印刷に使用する載置部の指示と、前記モードの実行指示と、を操作者が操作する操作部と、
を有し、
封筒が前記第２の状態で前記第１の載置部に載置されている場合において、前記操作部にて前記モードの実行指示が入力された場合、前記制御部は、前記操作部にて前記第１の載置部の選択を禁止することを特徴とする請求項１乃至５いずれか１項に記載の画像形成装置。
【請求項７】
前記載置部を第１の載置部とするとき、前記画像形成装置は、
記録材を載置可能な第２の載置部と、
情報を表示する表示部と、
記第１の載置部と前記第２の載置部とを含む複数の載置部の中から印刷に使用する載置部の指示と、前記モードの実行指示と、を操作者が操作する操作部と、
を有し、
封筒が前記第２の状態で前記第１の載置部に載置されている場合において、前記操作部にて前記モードの実行指示が入力された場合、前記制御部は、前記第１の載置部が使用できないことを前記表示部に表示することを特徴とする請求項１乃至６いずれか１項に記載の画像形成装置。
【請求項８】
封筒が前記第２の状態で前記第１の載置部に載置されている場合において、前記載置部に載置されている封筒を用いて前記モードを実行するための指示が入力された場合、前記制御部は、前記載置部に載置されている封筒の載置方向を前記第１の状態に変更するよう、操作者に促すことを特徴とする請求項１乃至７いずれか１項に記載の画像形成装置。
【請求項９】
前記載置部は手差しトレイであることを特徴とする請求項１乃至８いずれか１項に記載の画像形成装置。
【請求項１０】
記録材上に画像を形成する画像形成部と、
前記画像形成部で記録材に形成された画像を加熱する画像加熱部と、
前記画像形成部に搬送する記録材を載置する載置部と、
前記載置部に載置された封筒を前記画像形成部に搬送して形成された１面目の画像が加熱された後に、前記封筒を再び前記画像形成部へ搬送して形成された２面目の画像を加熱して封筒の両面に自動で画像を形成するモードを実行する制御部と、を備える画像形成システムにおいて、
前記制御部は、封筒のフラップが記録材の搬送方向と直行する方向にある第一状態で封筒が前記載置部に載置されていることが入力された場合には、前記モードで前記封筒に両面印刷の実行の入力を許容し、封筒のフラップが記録材の搬送方向にある第二の状態で封筒が前記載置部に載置されていることが入力された場合には、前記モードで前記封筒に両面印刷の実行の入力を禁止することを特徴とする画像形成システム。
【請求項１１】
前記モードの実行を入力する操作部を有し、封筒が積載部に第二の状態で載置されている場合には、前記制御部は前記操作部から前記モードの実行の選択を受け付けないことを特徴とする請求項１０に記載の画像形成システム
【請求項１２】
前記載置部に載置されている封筒の状態が入力される入力部を有することを特徴とする請求項１０または１１に記載の画像形成システム
【請求項１３】
前記載置部を第１の載置部とするとき、前記画像形成システムは、
記録材を載置可能な第２の載置部を有し、
封筒が前記第二の状態で前記第１の載置部に載置されている場合において、前記操作部にて前記第１の載置部を使用する指示が入力された場合、前記制御部は、前記モードの実行の入力を受け付けないことを特徴とする請求項１０乃至１２のいずれか１項に記載の画像形成システム
【請求項１４】
前記載置部を第１の載置部とするとき、前記画像形成システムは、
記録材を載置可能な第２の載置部と、
情報を表示する表示部と、を有し、
封筒が前記第２の状態で前記第１の載置部に載置されている場合において、前記操作部にて前記第１の載置部が選択された場合、前記制御部は、前記モードを実行できないことを表示部に表示することを特徴とする請求項１０乃至１３のいずれか１項に記載の画像形成システム。
【請求項１５】
前記載置部を第１の載置部とするとき、前記画像形成システムは、
記録材を載置可能な第２の載置部を有し、
封筒が前記第２の状態で前記第１の載置部に載置されている場合において、前記操作部にて前記モードの実行指示が入力された場合、前記制御部は、前記第１の載置部の選択を受け付けないことを特徴とする請求項１０乃至１４のいずれか１項に記載の画像形成システム。
【請求項１６】
前記載置部を第１の載置部とするとき、前記画像形成システムは、
記録材を載置可能な第２の載置部と、
情報を表示する表示部と、を有し、
封筒が前記第２の状態で前記第１の載置部に載置されている場合において、前記操作部にて前記モードの実行指示が入力された場合、前記制御部は、前記第１の載置部が使用できないことを前記表示部に表示することを特徴とする請求項１０乃至１５のいずれか１項に記載の画像形成システム。
【請求項１７】
封筒が前記第２の状態で前記第１の載置部に載置されている場合において、前記載置部に載置されている封筒を用いて前記モードを実行するための指示が入力された場合、前記制御部は、前記載置部に載置されている封筒の載置方向を前記第１の状態に変更するように操作者に促すことを特徴とする請求項１０乃至１６のいずれか１項に記載の画像形成システム。
【請求項１８】
前記載置部は手差しトレイであることを特徴とする請求項１０乃至１７のいずれか１項に記載の画像形成システム。
【手続補正２】
【補正対象書類名】明細書
【補正対象項目名】０００８
【補正方法】変更
【補正の内容】
【０００８】
上記の目的を達成するために、第１の発明は、記録材上に画像を形成する画像形成部と、前記画像形成部で記録材に形成された画像を加熱する画像加熱部と、前記画像形成部に搬送する記録材を載置する載置部と、前記載置部に載置された封筒を前記画像形成部に搬送して形成された１面目の画像が加熱された後に、前記封筒を再び前記画像形成部へ搬送して形成された２面目の画像を加熱して封筒の両面に自動で画像を形成するモードを実行する制御部と、を有する画像形成装置において、前記制御部は、封筒のフラップが記録材の搬送方向と直行する方向にある第一状態で封筒が前記載置部に載置されている場合、前記モードで前記封筒に両面印刷を実行することを許容し、封筒のフラップが記録材の搬送方向にある第二の状態で封筒が前記載置部に載置されている場合、前記モードで前記封筒に両面印刷を実行することを禁止することを特徴とする。
【手続補正３】
【補正対象書類名】明細書
【補正対象項目名】０００９
【補正方法】変更
【補正の内容】
【０００９】
また、第２の発明は、記録材上に画像を形成する画像形成部と、前記画像形成部で記録材に形成された画像を加熱する画像加熱部と、前記画像形成部に搬送する記録材を載置する載置部と、前記載置部に載置された封筒を前記画像形成部に搬送して形成された１面目の画像が加熱された後に、前記封筒を再び前記画像形成部へ搬送して形成された２面目の画像を加熱して封筒の両面に自動で画像を形成するモードを実行する制御部と、を備える画像形成システムにおいて、前記制御部は、封筒のフラップが記録材の搬送方向と直行する方向にある第一状態で封筒が前記載置部に載置されていることが入力された場合には、前記モードで前記封筒に両面印刷の実行の入力を許容し、封筒のフラップが記録材の搬送方向にある第二の状態で封筒が前記載置部に載置されていることが入力された場合には、前記モードで前記封筒に両面印刷の実行の入力を禁止することを特徴とする。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】